(57)【特許請求の範囲】
【請求項１】
固定子コアに巻線が分布巻きで巻回されている固定子を備えた単相誘導電動機において、
極数Ｐ（Ｐ＝２、４、６、・・・）に対して、固定子コアのスロット数を３Ｐ（３Ｐ＝６、１２、１８、・・・）で形成し、
主巻線は２つのティースを、補助巻線は３つのティースをまたぐようにそれぞれ分布するようにし、
隣り合う２線の補助巻線は１つのスロットに納めるようにし、主巻線は前記補助巻線を納めるスロットをまたぐように分布したことを特徴とする単相誘導電動機。
【請求項２】
前記補助巻線が納められるスロットの形状を小さくし、固定子コアの外周を多角形状に形成し、バックヨークの幅を略均一にしたことを特徴とする請求項１記載の単相誘導電動機。
【発明の詳細な説明】
【０００１】
【発明の属する技術分野】
固定子コアに巻線が分布巻きで巻回されている固定子を備えた単相誘導電動機に関する。
【０００２】
【従来の技術】
従来の分布巻きされた巻線を備えた単相誘導電動機を図４を用いて説明する。図４は、従来における６極用に巻回される巻線の方法を説明した固定子の正面図である。
【０００３】
図４において、固定子１２は、複数枚の固定子コア１３を積層し、この固定子コア１３のスロット１４内に輪状に形成された主巻線１５ａ、および補助巻線１５ｂを納めて形成されている。
【０００４】
固定子コア１３は、筒状に形成されたバックヨーク１６と、このバックヨーク１６の内周側から軸中心に向かって延出した２４個のティース１７とで形成されている。また、ティース１７とティース１７との間には、巻線が納められる２４個のスロット１４が形成される。
【０００５】
そして、固定子コア１３のスロット１４内には、輪状に巻回された６個の主巻線１５ａおよび６個の補助巻線１５ｂが、分布巻で納められている。すなわち、主巻線１５ａは、スロット番号が、＃１から＃４、＃５から＃８、＃９から＃１２、＃１３から＃１６、＃１７から＃２０、＃２１から＃２４のそれぞれに納められており、補助巻線１５ｂは、スロット番号が、＃３から＃６、＃７から＃１０、＃１１から＃１４、＃１５から＃１８、＃１９から＃２２、＃２３から＃２のそれぞれに納められている。
【０００６】
【発明が解決しようとする課題】
従来の巻線方法では、スロット数が多くなって、極当たりの巻線数が多くなり、生産性が悪くなってしまう。また、少ないスロットを選択して極当たりの巻線数を少なくすると、起磁力高調波分、特に、第３次高調波分が大きくなり、音、振動が増加する傾向にあった。
【０００７】
【課題を解決するための手段】
そこで、本発明によれば、極数Ｐ（Ｐ＝２、４、６、・・・）に対して、固定子コアのスロット数を３Ｐ（３Ｐ＝６、１２、１８、・・・）で形成し、主巻線は２つのティースを、補助巻線は３つのティースをまたぐようにそれぞれ分布するようにし、隣り合う２線の補助巻線は１つのスロットに納めるようにし、主巻線は前記補助巻線を納めるスロットをまたぐように分布したことを特徴とする単相誘導電動機を提供する。さらに、前記補助巻線が納められるスロットの形状を小さくし、固定子コアの外周を多角形状に形成し、バックヨークの幅を略均一にしたことを特徴とする前記単相誘導電動機を提供する。
【０００８】
【作用】
極数Ｐに対して固定子コアのスロット数を３Ｐに形成し、このスロットに納められる主巻線を３スロットまたがりに、そして、補助巻線を２スロットまたがりに分布巻きする。
【０００９】
例えば、６極で設計される単相誘導電動機であれば、固定子コアのスロット数を１８スロットで形成する。そして、これらスロットに、主巻線、補助巻線を分布巻きする。
【００１０】
すなわち、主巻線と補助巻線のスロットピッチを違えることにより、主巻線と補助巻線との高調波の位相をずらして、従来の巻線方法で発生する第３次高調波をカットする。
【００１１】
【発明の実施の形態】
本発明による実施例を図１〜図３を用いて説明する。図１は、本発明における４極用に巻回される巻線の方法を説明した固定子の正面図である。図２は、本発明における６極用に巻回される巻線の方法を説明した固定子の正面図である。図３は、図２の固定子に使用される固定子コアの材料取りを説明したフープ材の正面図である。
【００１２】
図１において、固定子１は、従来の固定子と同様に、複数枚の固定子コア２を積層し、この固定子コア２のスロット３内に輪状に形成された主巻線４ａ、および補助巻線４ｂを納めて形成されている。
【００１３】
固定子コア２は、筒状に形成されたバックヨーク５と、このバックヨーク５の内周側から軸中心に向かって延出した１２個のティース６とで形成されている。
【００１４】
そして、この固定子コア２のティース６によって形成された１２個のスロット３に、輪状に巻回された４個の主巻線４ａおよび４個の補助巻線４ｂが、分布巻で納められている。すなわち、主巻線４ａは、スロット番号が、＃１から＃３、＃４から＃６、＃７から＃９、＃１０から＃１２のそれぞれに納められており、補助巻線４ｂは、スロット番号が、＃２から＃５、＃５から＃８、＃８から＃１１、＃１１から＃２のそれぞれに納められている。
【００１５】
また、同様に６極用の場合、図２で示すように、１８個のスロット７が形成され、それぞれのスロット７に輪状に巻回された６個の主巻線８ａおよび６個の補助巻線８ｂが、分布巻で納められている。すなわち、主巻線８ａは、スロット番号が、＃１から＃３、＃４から＃６、＃７から＃９、＃１０から＃１２、＃１３から＃１５、＃１６から＃１８のそれぞれに納められており、補助巻線８ｂは、スロット番号が、＃２から＃５、＃５から＃８、＃８から＃１１、＃１１から＃１４、＃１４から＃１７、＃１７から＃２のそれぞれに納められている。
【００１６】
図３において、１８個のスロット７の内、補助巻線８ｂが納められるスロット７ｂの面積を小さくすることにより、バックヨーク９を通る磁路を確保しつつ、スロット７の背面部に当たる固定子コア１０の外周面１０ａをカットする。
【００１７】
すなわち、固定子コア１０の外周面１０ａをカットすることにより、フープ材１１の幅を短縮することができ、材料の節減を図ることができる。
【００１８】
以上のように、主巻線を２スロットまたがりでスロットに納め、補助巻線を３スロットまたがりでスロットに納めて、主巻線と補助巻線との巻線分布を違えることにより、補助巻線の起磁力分布が主巻線の起磁力分布に干渉して主巻線の起磁力高調波を減衰させ、第３次高調波分をカットすることができる。
【００１９】
【発明の効果】
本発明によれば、スロット数を削減して、極当たりの巻線数を少なくしつつ、主巻線の巻線による起磁力高調波、特に第３次高調波分をカットすることができる。
【００２０】
また、固定子コアの外周を多角形状にすることで、固定子コアの材料取りの向上を図ることができる。
【００２１】
【図面の簡単な説明】
【図１】本発明における４極用に巻回される巻線の方法を説明した固定子の正面図。
【図２】本発明における６極用に巻回される巻線の方法を説明した固定子の正面図。
【図３】図２の固定子に使用される固定子コアの材料取りを説明したフープ材の正面図。
【図４】従来における６極用に巻回される巻線の方法を説明した固定子の正面図。
【符号の説明】
１、１２…固定子
２、１０、１３…固定子コア
３、７、１４…スロット
４ａ、８ａ、１５ａ…主巻線
４ｂ、８ｂ、１５ｂ…補助巻線
５、９、１６…バックヨーク
６、１７…ティース
１１…フープ材
【図１】
0004052719.tif 000002
【図２】
0004052719.tif 000003
【図３】
0004052719.tif 000004
【図４】
0004052719.tif 000005